(57)【要約】【課題】投票した被選挙人の情報をＩＣ回路に記録し、ＩＣ回路から被選挙人の情報を読み取って集計を行うことができるようにする。【解決手段】投票案内兼投票用紙１０はミシン目１４で投票片１１と投票案内片１５に分離でき、投票片１１は折り曲げ線１３で折り曲げることができる。投票案内片１５の表に選挙人の住所、氏名等が印字され、裏面に投票日や投票場所等の案内情報が印字され、ＩＣ回路１２に選挙人情報が記録され、郵送される。投票場所において選挙人の確認がＩＣ回路１２の選挙人情報に基づいて行われ、選挙人がＩＣリードライトプリンタを用いて被選挙人を選択すると、選択した被選挙人の情報がＩＣ回路１２に上書き記録され、被選挙人名が投票片１１に印字される。投票箱に投票された投票片１１のＩＣ回路１２から被選挙人情報がＩＣリーダによって読み取られ、集計される。【選択図】図２ 
2005190423.tif 000002
【特許請求の範囲】
【請求項１】
非接触で情報の書き込みおよび読み取りが可能なＩＣタグを有する投票用紙を用いた投票集計システムであって、
各選挙人に関する選挙人情報を記憶する記憶手段と、
前記選挙人が持参した前記投票用紙に埋め込まれた前記ＩＣタグに記録された前記選挙人情報を読み取る第１の読み取り手段と、
前記第１の読み取り手段によって読み取られた前記選挙人情報と、前記記憶手段によって記憶されている前記選挙人情報とを照合する照合手段と、
前記照合手段による照合結果に基づいて、前記選挙人の適否の確認を行う確認手段と、
前記確認手段によって適正であることが確認された前記選挙人が被選挙人を選択するための選択手段と、
前記選挙人により前記選択手段を用いて選択された前記被選挙人に関する被選挙人情報を、前記ＩＣタグに記録されている前記選挙人情報に対して上書きすることによって前記ＩＣタグに記録する記録手段と、
前記ＩＣタグから前記記録手段によって上書き記録された前記被選挙人情報を読み取る第２の読み取り手段と、
前記第２の読み取り手段によって各ＩＣタグから読み取られた前記被選挙人情報を集計する集計手段と
を備えることを特徴とする投票集計システム。
【発明の詳細な説明】
【技術分野】
【０００１】
本発明は、投票集計システムに関し、特に、ＩＣタグを用いて投票および集計を行う投票集計システムに関する。
【背景技術】
【０００２】
従来、選挙の投票は次のような方法で行われていた。すなわち、選挙人（有権者）は、選挙管理委員会より送付された選挙の案内葉書を、指定された投票場所へ持参する。案内葉書には選挙人の住所、氏名、および識別コード等が印刷されている。投票場所の受け付けでは、選挙人が持参した案内葉書の内容と台帳に記載された選挙人の内容とが照合され、適正な選挙人であるか否かが確認される。その結果、適正な選挙人であることが確認できた場合にその選挙人に投票用紙が手渡され、この投票用紙に選挙人が所望の被選挙人の氏名を手書きし、投票箱に投票していた。また、これらの投票用紙の集計は手作業で行われていた。
また、選挙人の適法性を選挙人が持参した選挙通知葉書、身分証明書、運転免許証、ＩＤ（Ｉｄｅｎｔｉｆｉｃａｔｉｏｎ）カードなどの各種証明書を用いて確認し、適法な選挙人毎に、ＩＣ（Ｉｎｔｅｇｒａｔｅｄ  Ｃｉｒｃｕｉｔ）チップを備え、表面にリライト層を形成したＩＣタグを発行し、選挙人による被選挙人の指定に基づいて、ＩＣタグのＩＣチップメモリに指定された被選挙人をデータ入力するとともに、ＩＣタグのリライト層にはプリンタで当該被選挙人名などを印字したうえ、ＩＣタグを回収し、回収したＩＣタグのＩＣチップメモリに入力されている被選挙人データを読み取って、読み取ったデータの集計を行う一方、読み取りが正常に行われないＩＣタグについてはリライト層に印字された被選挙人名などに基づいて集計を行い、集計後にＩＣタグに入力した被選挙人データとリライト層に印字した被選挙人名などを消去し、このＩＣタグを再利用することにより、ＩＣタグを利用して、投票および集計作業の効率化に貢献できるとともに、ＩＣタグの再利用を可能とした投票、集計方法を提供するようにしたものがある（例えば、特許文献１参照）。
【特許文献１】特開２００２−２５９６２４号公報
【発明の開示】
【発明が解決しようとする課題】
【０００３】
このように、背景技術では、投票用紙を手作業で集計していたため、多くの人手を必要とし、また、集計作業も煩雑であった。
また、特許文献１では、選挙人の適法性を確認し、適法な選挙人毎にＩＣタグを発行し、投票および集計作業を効率化するようにしたものがあるが、選挙人の適法性を選挙人が持参した選挙通知葉書、身分証明書、運転免許証、ＩＤカードなどの各種証明書を用いて確認するため、確認作業が繁雑であるという問題があった。
また、表面にリライト層を形成したＩＣタグは、リライト層の下層にＩＣチップおよびアンテナを形成しており、熱に弱い特性を持つＩＣチップがリライト層への印字におけるサーマルヘッドの発熱作用によって破壊されてしまうという問題があった。
【０００４】
本発明はこのような状況に鑑みてなされたものであり、ＩＣタグを有する投票用紙を用い、適正な選挙人であることの確認、投票、および集計を効率良く行うことができるようにするものである。
【課題を解決するための手段】
【０００５】
請求項１に記載の投票集計システムは、非接触で情報の書き込みおよび読み取りが可能なＩＣタグを有する投票用紙を用いた投票集計システムであって、各選挙人に関する選挙人情報を記憶する記憶手段と、選挙人が持参した投票用紙に埋め込まれたＩＣタグに記録された選挙人情報を読み取る第１の読み取り手段と、第１の読み取り手段によって読み取られた選挙人情報と、記憶手段によって記憶されている選挙人情報とを照合する照合手段と、照合手段による照合結果に基づいて、選挙人の適否の確認を行う確認手段と、確認手段によって適正であることが確認された選挙人が被選挙人を選択するための選択手段と、選挙人により選択手段を用いて選択された被選挙人に関する被選挙人情報を、ＩＣタグに記録されている選挙人情報に対して上書きすることによってＩＣタグに記録する記録手段と、ＩＣタグから記録手段によって上書き記録された被選挙人情報を読み取る第２の読み取り手段と、第２の読み取り手段によって各ＩＣタグから読み取られた被選挙人情報を集計する集計手段とを備えることを特徴とする。
【発明の効果】
【０００６】
本発明の投票集計システムによれば、ＩＣタグを有する投票用紙に記憶された選挙人情報を読み取り、選挙人の適否を自動で確認し、受け付けをすることができる。また、ＩＣタグに記録されている選挙人情報に対して被選挙人情報を上書き記録するので、選挙人情報が消去され、選挙人のプライバシーを保護することができる。さらに、ＩＣタグに記録された被選挙人情報を非接触で即座に読み取ることができるので、短時間での集計が可能となる。
【発明を実施するための最良の形態】
【０００７】
図１は、本発明の投票集計システムの一実施の形態の構成例を示すブロック図である。同図に示すように、本実施の形態における投票集計システムは、投票場所に設置され、選挙人（有権者）が持参した後述する投票案内兼投票用紙１０に埋め込まれたＩＣ（Ｉｎｔｅｇｒａｔｅｄ  Ｃｉｒｃｕｉｔ）回路１２（図２）に記憶されている選挙人の氏名、住所、識別コード等の情報（選挙人情報）を読み取り、後述するサーバ２に図示せぬ各種インタフェースやＬＡＮ等のネットワークを介して送信するゲート１と、選挙管理委員会等に設置されたサーバ１００からインターネット等のネットワークを介して提供される各選挙人の氏名、住所、識別コード等からなる選挙人情報を予め台帳情報として記憶し、ゲート１から送信されてきた選挙人情報と台帳情報とを照合し、照合結果を図示せぬ表示部に表示し、照合結果に応じて選挙人の適否を確認し、適正な選挙人に対して受け付けを行うサーバ２と、投票案内兼投票用紙１０に埋め込まれたＩＣ回路１２に、選挙人が選択した被選挙人の氏名（被選挙人名）等の被選挙人情報を上書き記録するとともに、被選挙人名を印字するＩＣリードライトプリンタ（プリンタ）３と、投票案内兼投票用紙１０に埋め込まれたＩＣ回路１２に記憶された被選挙人情報を読み取り、読み取った被選挙人情報を図示せぬインタフェースやＬＡＮ等のネットワークを介してサーバ２に送信するＩＣリーダ（スキャナ）４とから構成され、ゲート１、ＩＣリードライトプリンタ３、およびＩＣリーダ４はインタフェースやＬＡＮ等のネットワークを介してサーバ２にそれぞれ接続され、サーバ２はインターネット等のネットワークを介してサーバ１００に接続されている。
【０００８】
ゲート１は、投票案内兼投票用紙１０のＩＣ回路１２に記憶されている選挙人情報を読み取る図示せぬ読み取り部と、各種データを記憶する図示せぬ記憶部と、インタフェースやＬＡＮ等のネットワークを介してサーバ２と各種データの送受信を行う図示せぬ通信制御部と、各部を制御する図示せぬ制御部等から構成されている。サーバ２は、サーバ１００からインターネット等のネットワークを介して提供された各選挙人の情報（選挙人情報）を予め台帳情報として記憶するとともに、被選挙人情報を記憶する図示せぬ記憶装置と、各種コマンドやデータを入力するための図示せぬ入力部と、各種情報を表示する表示部と、ゲート１、ＩＣリードライトプリンタ３、およびＩＣリーダ４とインタフェースやＬＡＮ等のネットワークを介して各種データの送受信を行う図示せぬ通信制御部と、各部を制御する図示せぬ制御部等から構成され、ＩＣリーダ４によって読み取られ、送信されてきた被選挙人情報に基づいて集計を行い、集計結果をサーバ１００に送信するようになっている。
【０００９】
ＩＣリードライトプリンタ３は、被選挙人の一覧を表示するための図示せぬ表示部と、選挙人が表示部に表示された被選挙人の一覧の中から所望の被選挙人を選択するための図示せぬ入力部と、各種情報を記憶する記憶部と、投票案内兼投票用紙１０のＩＣ回路１２に対して被選挙人情報を上書き記録する図示せぬ記録部と、選挙人によって選択された被選挙人の氏名（被選挙人名）を投票片１１の印字領域１２３（図４）に印字する図示せぬ印字部と、インタフェースやＬＡＮ等のネットワークを介してサーバ２とデータの送受信を行う図示せぬ通信制御部と、各部を制御する図示せぬ制御部とを備えている。ＩＣリーダ４は、ＩＣ回路１２に記憶されている被選挙人情報を読み取る図示せぬ読み取り部と、読み取った被選挙人情報をインタフェースやＬＡＮ等のネットワークを介してサーバ２に送信する図示せぬ通信制御部と、各部を制御する図示せぬ制御部とを備えている。サーバ１００は、台帳情報を記憶し、インターネット等のネットワークを介して各投票場所に設置されたサーバ２に提供するとともに、各サーバ２から送信されてきた集計結果に基づいて、集計処理を行うようになっている。
【００１０】
投票案内兼投票用紙１０は、図２に示すように、投票片１１と投票案内片１５から構成されている。投票片１１と投票案内片１５とは、ミシン目１４において切り離しが可能となっている。投票片１１は、中央に折り曲げ線１３が印字され、折り曲げ線１３で折ることができるようになっている。折り曲げ線１３を境にして一方（左）側には、ＩＣ回路１２が埋め込まれており、他方（右）側の表面には後述するように被選挙人の氏名等を印字することができるようになっている。
【００１１】
ＩＣ回路１２は、ＩＣチップ１２１とアンテナコイル１２２等からなり、予めＩＣチップ１２１を構成するメモリに自身の識別コードなどの情報が記録されており、ＩＣタグ、ＲＦＩＤ（Ｒａｄｉｏ  Ｆｒｅｑｕｅｎｃｙ  Ｉｄｅｎｔｉｆｉｃａｔｉｏｎ）タグ等とも呼ばれる。ＩＣ回路１２は、電波により、ゲート１、ＩＣリードライトプリンタ３、およびＩＣリーダ４とそれぞれ交信することができるようになっている。また、ＩＣ回路１２は、ゲート１、ＩＣリードライトプリンタ３、およびＩＣリーダ４等から送信される電波をアンテナコイル１２２で受信し、電力に変換することができるようになっている。
【００１２】
投票案内片１５には、一方の面（表面）に選挙人の郵便番号、住所、および氏名が印字され、他方の面（裏面）に投票日、投票場所等の投票案内情報が印字される。投票案内兼投票用紙１０は、投票案内片１５の選挙人の住所や氏名等が印字された面が表になるようにミシン目１４で折り曲げられて選挙管理委員会から選挙人宛に郵送される。
【００１３】
図３（ａ）、図３（ｂ）は、図２に示した投票案内兼投票用紙１０のＡ−Ａ線断面図である。図３（ａ）、図３（ｂ）に示すように、投票案内兼投票用紙１０は、投票片１１の折り曲げ線１３の左側にＩＣ回路１２が埋め込まれている。図３（ａ）に示すように、投票片１１の左端部から折り曲げ線１３まで用紙を折り込んでＩＣ回路１２を包み込むように構成されている。また、図３（ｂ）に示すように、投票片１１の左端部からミシン目１４まで用紙を折り込んでＩＣ回路１２を包み込むように構成しても良い。
【００１４】
図４は、投票片１１の折り曲げ線１３の右側の印字領域１２３に被選挙人名が印字された例を示している。後述するように、選挙人がＩＣリードライトプリンタ３の入力部を操作して表示部に表示された被選挙人の一覧の中から「佐藤太郎」を選択すると、ＩＣリードライトプリンタ３により、選択された被選挙人の氏名「佐藤太郎」が投票片１１の折り曲げ線１３の右側の印字領域１２３に印字されるとともに、選択された被選挙人の氏名等に関する情報（被選挙人情報）がＩＣ回路１２に上書き記録される。すなわち、ＩＣ回路１２のＩＣチップ１２１のメモリの選挙人情報が記憶されていた部分に被選挙人情報が上書き記録され、選挙人情報が消去される。
尚、投票片１１の印字領域１２３の下層にＩＣ回路１２が位置していないため、ＩＣリードライトプリンタ３の印字動作において図示しないサーマルヘッドの発熱作用によるＩＣ回路１２の破壊の恐れがない。
【００１５】
次に、図５のフローチャートを参照して、本実施の形態の処理手順について説明する。ステップＳ１において、選挙人は、選挙管理委員会から郵送されてきた投票案内兼投票用紙１０を指定された投票場所に持参する。選挙人は、投票案内兼投票用紙１０を持ったままゲート１に入る。ゲート１の制御部は、一定周期で読み取り部を介して所定のコマンドを電波により送信しており、このコマンドに対して応答があったか否かを判定している。
【００１６】
そして、ＩＣ回路１２からの応答がなかったと判定された場合、ゲート１を投票案内兼投票用紙１０を所持した選挙人が通過していないと見なされ、ステップＳ１の処理が繰り返し実行される。一方、ＩＣ回路１２からの応答があったと判定された場合、投票案内兼投票用紙１０を所持した選挙人がゲート１を通過したと見なされ、ステップＳ２に進む。ステップＳ２においては、ゲート１の読み取り部により、投票案内兼投票用紙１０のＩＣ回路１２に記憶されている選挙人情報が読み取られ、読み取られた選挙人情報は通信制御部の制御によりインタフェースやＬＡＮ等のネットワークを介してサーバ２に送信される。
【００１７】
次に、ステップＳ３において、サーバ２の制御部は、ゲート１から送信されてきた選挙人情報を通信制御部を介して受信し、この選挙人情報と、予め記憶装置に記憶されている台帳情報（各選挙人の選挙人情報）とを照合し、ゲート１から送信されてきた選挙人情報に対応する選挙人と同一の選挙人に関する選挙人情報が台帳情報としてサーバ２の記憶装置に記憶されているか否かを示すデータを照合結果として表示部に表示する。
【００１８】
サーバ２の制御部は、ステップＳ１においてゲート１により投票案内兼投票用紙１０のＩＣ回路１２から読み取られた選挙人情報に対応する選挙人と同一の選挙人に関する選挙人情報が台帳情報としてサーバ２の記憶装置に記憶されている場合、その選挙人は適正な選挙人であると判断し、その選挙人に対して受け付けを行い、ステップＳ４に進む。一方、サーバ２の制御部は、ステップＳ１においてゲート１により投票案内兼投票用紙１０のＩＣ回路１２から読み取られた選挙人情報に対応する選挙人と同一の選挙人に関する選挙人情報が台帳情報としてサーバ２の記憶装置に記憶されていない場合、その選挙人は適正な選挙人ではないと判断し、その旨を表示部に表示しその選挙人に対しては受け付けを行わない。
【００１９】
次に、ステップＳ４において、ゲート１を通過し、適正と判断された選挙人は、所持している投票案内兼投票用紙１０をミシン目１４で切り離し、投票片１１と投票案内片１５に分離させ、投票案内片１５を受け付けに渡す。
【００２０】
次に、ステップＳ５において、選挙人は投票片１１をＩＣリードライトプリンタ３の図示せぬ挿入口に挿入する。ＩＣリードライトプリンタ３の制御部は、挿入口に投票片１１が挿入されたことを検知すると、挿入口に設けられた図示せぬローラを回転駆動させて投票片１１を内部に引き込む。
【００２１】
次に、ステップＳ６において、ＩＣリードライトプリンタ３の制御部は、選択可能な被選挙人の一覧を表示部に表示させる。この被選挙人の一覧を表示するためのデータは、予めＩＣリードライトプリンタ３の記憶部に記憶させておいてもよいし、サーバ２からインタフェースやＬＡＮ等のネットワークを介して提供されるようにしてもよい。また、被選挙人一覧とともに空白の選択項目も表示し、被選挙人を選択しない（被選挙人として無記名を選択する）、いわゆる白紙投票ができるようにする。選挙人がＩＣリードライトプリンタ３の入力部を操作して、所望の被選挙人または空白の選択項目を選択すると、選択された被選挙人の氏名等の情報（被選挙人情報（空白の項目が選択された場合には白紙投票であることを示す情報））が、ＩＣリードライトプリンタ３の記憶部に一時的に記憶される。
【００２２】
次に、ステップＳ７において、選挙人によってＩＣリードライトプリンタ３の入力部が操作され、ステップＳ６において選択した被選挙人（空白の項目が選択された場合は白紙投票であること）を確定し、確定した被選挙人の氏名（白紙投票の場合は空白）を投票片１１の印字領域１２３に印字するよう指示されたか否かがＩＣリードライトプリンタ３の制御部によって判定される。
【００２３】
その結果、選挙人によってＩＣリードライトプリンタ３の入力部が操作され、ステップＳ６において選択した被選挙人（空白の項目が選択された場合は白紙投票であること）を確定し、確定した被選挙人の氏名（白紙投票の場合は空白）を投票片１１の印字領域１２３に印字するよう指示されていないと判定された場合、ステップＳ６に戻り、ステップＳ６以降の処理が繰り返し実行される。一方、選挙人によってＩＣリードライトプリンタ３の入力部が操作され、ステップＳ６において選択した被選挙人（空白の項目が選択された場合は白紙投票であること）を確定し、確定した被選挙人の氏名（白紙投票の場合は空白）を投票片１１の印字領域１２３に印字するよう指示されたと判定された場合、ステップＳ８に進む。
【００２４】
ステップＳ８においては、ＩＣリードライトプリンタ３の制御部により、選択された被選挙人の氏名等の被選挙人情報（白紙投票の場合は空白）が投票片１１のＩＣ回路１２に上書き記録される。すなわち、ＩＣ回路１２のＩＣチップ１２１のメモリの選挙人情報が記憶されていた部分に、選択された被選挙人情報（白紙投票の場合は空白を示す情報）が上書き記録され、選挙人情報が消去される。このため、どの選挙人がどの被選挙人に投票したかが分からないようにすることができる。すなわち、無記名投票を行うことができる。
【００２５】
次に、ステップＳ９において、ＩＣリードライトプリンタ３の印字部は制御部の制御下、選択された被選挙人の氏名を投票片１１の印字領域１２３に印字する。ただし、白紙投票が選択された場合は何も印字せずに空白のままとする。このとき、ＩＣ回路１２は熱に弱いため、印字時のサーマルヘッドによる熱の影響を避けるため、投票片１１のＩＣ回路１２が包み込まれていない側（図４に示した例では、投票片１１の右側）の印字領域１２３に印字される。その後、ステップＳ１０において、投票片１１が図示せぬ排出口より排出される。
【００２６】
次に、ステップＳ１１において、選挙人は、ＩＣリードライトプリンタ３の排出口より排出された投票片１１を折り曲げ線１３で折り曲げ、投票場所に設置された投票箱に投票する。投票箱に投票された投票片１１のＩＣ回路１２に記録された被選挙人情報は、サーバ２とインタフェースやＬＡＮ等のネットワークを介して接続されているＩＣリーダ４によって非接触で読み取られ、サーバ２にネットワークやＬＡＮ等のネットワークを介して送信される。サーバ２は、各ＩＣリーダ４より送信されてきた被選挙人情報を集計し、各被選挙人毎の投票数を求め、インターネット等のネットワークを介してサーバ１００に送信する。
【００２７】
上述したように、通常、ＩＣ回路１２には、ユニークな識別コードが記憶されているので、ＩＣ回路１２から被選挙人情報と識別コードを読み取ることにより、同一のＩＣ回路１２から被選挙人情報を２回以上重複して読み取ることがないようにすることができる。
【００２８】
以上説明したように、本実施の形態により、これまで手作業で行っていた集計作業を自動で迅速かつ効率的に行うことができる。また、ＩＣ回路１２には非接触で情報の読み書きができるので、繰り返し使用することができ、資源の無駄をなくすことができる。また、バーコード等と異なり、汚れていたり、物陰に隠れていても、被選挙人情報の読み取りができる。さらに、複数のＩＣ回路１２が一カ所に存在しても、各ＩＣ回路１２から被選挙人情報の読み取りができるので、効率良く集計作業ができる。また、複数のＩＣ回路１２に対して同時に情報の読み取りができるので、集計処理を迅速に行うことができる。
【００２９】
また、ＩＣ回路１２に記憶されている選挙人情報をゲート１で読み取ることにより、自動で受け付けを行うことができる。また、ＩＣ回路１２に記憶されている選挙人情報が被選挙人情報によって上書きされ、選挙人情報が消去されるので、選挙人のプライバシーを保護することができる。さらに、ＩＣ回路１２に上書き記録された被選挙人情報をＩＣリーダ４を用いて読み取り、サーバ２で集計するので、集計作業を迅速に行うことができる。
【００３０】
なお、上記実施の形態の構成および動作は例であって、本発明の趣旨を逸脱しない範囲で適宜変更することができることは言うまでもない。
【図面の簡単な説明】
【００３１】
【図１】本発明の一実施の形態の構成例を示す図である。
【図２】投票案内兼投票用紙の構成例を示す図である。
【図３】図２の投票案内兼投票用紙のＡＡ線断面図を示す図である。
【図４】投票片の構成および印字例を示す図である。
【図５】図１の実施の形態の処理手順を説明するためのフローチャートである。
【符号の説明】
【００３２】
１  ゲート
２  サーバ
３  ＩＣリードライトプリンタ
４  ＩＣリーダ
１０  投票案内兼投票用紙
１１  投票片
１２  ＩＣ回路
１３  折り曲げ線
１４  ミシン目
１５  投票案内片
１００  サーバ
１２１  ＩＣチップ
１２２  アンテナコイル
１２３  印字領域
【図１】
2005190423.tif 000003
【図２】
2005190423.tif 000004
【図３】
2005190423.tif 000005
【図４】
2005190423.tif 000006
【図５】
2005190423.tif 000007